(57)【要約】【課題】  優れた利便性を有すると共に、蓄電池を備えた電動式ラチェットドライバーを提供する。【解決手段】  二つの半枠部からなる本体と、出力軸が本体の一端から延出するように前記本体の一端に設けられるモータと、前記本体の内部に設けられ、モータと電気接続する電池部材と、前記電池部材とモータとの間に設けられるスイッチと、前記本体の内部に収容される、回転自在の回転部材と、該回転部材の一側に設けられる駆動軸受けと、該回転部材の他側に設けられ、モータの出力軸と噛合する複数のギアと、前記回転部材とギアを収容する収容部とを有するギア組と、前記収容部を収容するため本体の一端に設けられる連結カバーと、前記連結カバーと連結されるヘッド部と、前記ヘッド部と連結され、一端に回転部材の駆動軸受けと噛合する駆動軸が設けられる取付部材と、を備えることを特徴とする。【選択図】        図１
2006102888.tif 000002
【特許請求の範囲】
【請求項１】
二つの半枠部からなる本体と、
出力軸が本体の一端から延出するように前記本体の一端に設けられるモータと、
前記本体の内部に設けられ、モータと電気接続する電池部材と、
前記電池部材とモータとの間に設けられるスイッチと、
前記本体の内部に収容される、回転自在の回転部材と、該回転部材の一側に設けられる駆動軸受けと、該回転部材の他側に設けられ、モータの出力軸と噛合する複数のギアと、前記回転部材とギアを収容する収容部とを有するギア組と、
前記収容部を収容するため本体の一端に設けられる連結カバーと、
前記連結カバーと連結されるヘッド部と、
前記ヘッド部と連結され、一端に回転部材の駆動軸受けと噛合する駆動軸が設けられる取付部材と、を備えることを特徴とする電動式ラチェットドライバー。
【請求項２】
前記本体の半枠部の外側にカバーが設けられると共に、内側にモータを固定するための内固定部が設けられることを特徴とする請求項1に記載の電動式ラチェットドライバー。
【請求項３】
前記スイッチが本体の内部に収容され、前記本体に外部へ突出するボタンが設けられ、前記ボタンとスイッチとの間に導電プレートが設けられ、該本体の内部にボタンを支持するための弾性部材が設けられることを特徴とする請求項１又は２に記載の電動式ラチェットドライバー。
【請求項４】
前記収容部の外側に位置決めリブが設けられると共に、連結カバーの内壁に位置決めリブを位置決めする位置決め溝が形成されることを特徴とする請求項３に記載の電動式ラチェットドライバー。
【請求項５】
前記半枠部の一端にヘッド部を固定するための位置決めプレートが設けられ、該位置決めプレートの外側に固定リングが設けられることを特徴とする請求項３に記載の電動式ラチェットドライバー。
【請求項６】
前記一つの半枠部の一端にヘッド部を位置決めするための位置決めリングが設けられ、該半枠部の長さは他の半枠部より長いことを特徴とする請求項３に記載の電動式ラチェットドライバー。
【請求項７】
前記本体の内部にモータの出力軸を位置決めするための固定座が設けられることを特徴とする請求項３に記載の電動式ラチェットドライバー。
【請求項８】
前記ギアと固定座との間にワッシャーが設けられることを特徴とする請求項７に記載の電動式ラチェットドライバー。
【請求項９】
前記ヘッド部の外側に位置決め効果を向上するための固定リングが螺合されることを特徴とする請求項８に記載の電動式ラチェットドライバー。
【請求項１０】
前記ヘッド部と連結カバーは螺合手段によって結合し、前記ヘッド部の外側に固定リングが螺合されることを特徴とする請求項９に記載の電動式ラチェットドライバー。
【発明の詳細な説明】
【技術分野】
【０００１】
本発明は、特に優れた利便性を有すると共に、蓄電池を備えた電動式ラチェットドライバーに関するものである。
【背景技術】
【０００２】
ラチェットドライバーは、ねじ又はボルトとナットを組み合わせる際によく使用され、前記ラチェットドライバーを駆動するために、一般に人力、コンプレッサー又は電力を利用する。尚、前記人力、圧縮空気又は電力による駆動するラチェットドライバーはよく使用されるものであるため、特に特許文献又は非特許文献には記載されていなかった。
【発明の開示】
【発明が解決しようとする課題】
【０００３】
しかしながら、前記のように人力を使用する場合は、ラチェットドライバーの作動が遅すぎるという問題を有し、一方、圧縮空気と電力を使用する場合には、コンプレッサー又は電力提供装置とラチェットドライバーとの間に、連結パイプ又はワイヤを設ける必要があるので、使用の利便性が悪いという問題があった。
【０００４】
そこで、出願されたのが本発明であって、優れた利便性を有すると共に、蓄電池を備えた電動式ラチェットドライバーを提供することを目的としている。
【課題を解決するための手段】
【０００５】
本願の第１の発明は、二つの半枠部からなる本体と、出力軸が本体の一端から延出するように前記本体の一端に設けられるモータと、前記本体の内部に設けられ、モータと電気接続する電池部材と、前記電池部材とモータとの間に設けられるスイッチと、前記本体の内部に収容される、回転自在の回転部材と、該回転部材の一側に設けられる駆動軸受けと、該回転部材の他側に設けられ、モータの出力軸と噛合する複数のギアと、前記回転部材とギアを収容する収容部とを有するギア組と、前記収容部を収容するため本体の一端に設けられる連結カバーと、前記連結カバーと連結されるヘッド部と、前記ヘッド部と連結され、一端に回転部材の駆動軸受けと噛合する駆動軸が設けられる取付部材と、を備えることを特徴とする電動式ラチェットドライバー、及び、本願の第２の発明は、前記本体の半枠部の外側にカバーが設けられると共に、内側にモータを固定するための内固定部が設けられることを特徴とする第１の発明の電動式ラチェットドライバー、及び、本願の第３の発明は、前記スイッチが本体の内部に収容され、前記本体に外部へ突出するボタンが設けられ、前記ボタンとスイッチとの間に導電プレートが設けられ、該本体の内部にボタンを支持するための弾性部材が設けられることを特徴とする第１又は２の発明の電動式ラチェットドライバー、及び、本願の第４の発明は、前記収容部の外側に位置決めリブが設けられると共に、連結カバーの内壁に位置決めリブを位置決めする位置決め溝が形成されることを特徴とする第３の発明の電動式ラチェットドライバー、及び、本願の第５の発明は、前記半枠部の一端にヘッド部を固定するための位置決めプレートが設けられ、該位置決めプレートの外側に固定リングが設けられることを特徴とする第３の発明の電動式ラチェットドライバー、及び、本願の第６の発明は、前記一つの半枠部の一端にヘッド部を位置決めするための位置決めリングが設けられ、該半枠部の長さは他の半枠部より長いことを特徴とする第３の発明の電動式ラチェットドライバー、及び、本願の第７の発明は、前記本体の内部にモータの出力軸を位置決めするための固定座が設けられることを特徴とする第３の発明の電動式ラチェットドライバー、及び、本願の第８の発明は、前記ギアと固定座との間にワッシャーが設けられることを特徴とする第７の発明の電動式ラチェットドライバー、及び、本願の第９の発明は、前記ヘッド部の外側に位置決め効果を向上するための固定リングが螺合されることを特徴とする第８の発明の電動式ラチェットドライバー、及び、本願の第１０の発明は、前記ヘッド部と連結カバーは螺合手段によって結合し、前記ヘッド部の外側に固定リングが螺合されることを特徴とする第９の発明の電動式ラチェットドライバー、を提供する。
【発明の効果】
【０００６】
本発明は上記の課題を解決するものであり、電池部材により取付部材を駆動させることにより、パイプやワイヤなどの部材が不要となるので、使用の利便性を大幅に向上させることができる。
【発明を実施するための最良の形態】
【０００７】
以下、添付図面を参照して本発明の好適な実施の形態を詳細に説明する。
【０００８】
図１は本発明に係る電動式ラチェットドライバーの第１実施例を示す分解斜視図であり、図２は本発明に係る電動式ラチェットドライバーの第１実施例を示す断面図であり、図３は本発明に係る電動式ラチェットドライバーの第２実施例を示す分解斜視図であり、図４は本発明に係る電動式ラチェットドライバーの第３実施例を示す分解斜視図であり、図５は本発明に係る電動式ラチェットドライバーの第４実施例を示す分解斜視図であり、図６は本発明に係る電動式ラチェットドライバーの第４実施例を示す断面図である。
【０００９】
図1及び図２に示すように、本発明に係る電動式ラチェットドライバーの第１実施例は、本体（１０）と、モータ（１４）と、電池部材（１５）と、スイッチ（１９）と、ギア組（１６）と、連結カバー（１７）と、ヘッド部（２０）と、取付部材（２１）と、を備え、該本体（１０）は二つの半円筒状の半枠部（１１）（１２）からなり、内部の一端に必要に応じて絶縁素材からなる内固定部（１３２）が設けられると共に、外部の他端に必要に応じてカバー（１３）が設けられる。
【００１０】
前記モータ（１４）は本体（１０）の内部に設けられる内固定部（１３２）の内部に設けられ、該モータ（１４）の出力軸（符号なし）にギアが設けられ、又、本実施例において、本体（１０）の内部にモータ（１４）の出力軸を位置決めするための固定座（１４４）が設けられる。
【００１１】
前記電池部材（１５）は取出自在のように本体（１０）の内部に設けられると共に、前記モータ（１４）と電気接続し、本実施例において、該電池部材（１５）は蓄電池である。又、前記本体（１０）の内部に電池部材（１５）と電気接続するために、二つの電極（符号なし）を有する連結部材（１４２）が設けられる。
【００１２】
前記スイッチ（１９）はモータ（１４）と連結部材（１４２）との間に設けられることにより、電池部材（１５）と電気接続する。本実施例において、該スイッチ（１９）が本体（１０）の内部に設けられ、又、本体（１０）の内部に該スイッチ（１９）と接続するようにボタン（１９２）と導電プレート（１９４）と弾性部材（１９６）が設けられ、前記ボタン（１９２）が本体（１０）の半殻体（１１）（１２）から外部へ突出するように設けられ、前記導電プレート（１９４）がスイッチ（１９）とボタン（１９２）との間に設けられ、前記弾性部材（１９６）がボタン（１９２）を支持するため本体（１０）の内部に設けられ、本実施例において、該弾性部材（１９６）はコイルばねであれば良い。
【００１３】
前記ボタン（１９２）を押圧すると、該導電プレート（１９４）を連動すると共に、該スイッチ（１９）を押圧することにより、電池部材（１５）がモータ（１４）に電力を提供する。
【００１４】
前記本体（１０）の内部に設けられるギア組（１６）は、回転部材（１６２）と、駆動軸受け（１６４）と、複数のギア（１６６）と、収容部（１６８）とを備える。前記回転部材（１６２）は回転自在のように本体（１０）の内部に収容され、その一側に駆動軸受け（１６４）が設けられると共に、他側に前記モータ（１５）の出力軸と連接する複数のギア（１６６）が設けられ、又、前記収容部（１６８）は本体（１０）の内部に設けられ、内部の壁がギア（１６６）と噛合することにより、モータ（１５）の出力軸がギア（１６６）を駆動すると共に、回転部材（１６２）を回転する。
【００１５】
前記出力軸を有するモータ（１５）の一側とギア（１６６）との間にワッシャー（１４６）が設けられると共に、該ワッシャー（１４６）とモータ（１５）との間に固定座（１４４）が設けられることにより、ギア（１６６）の位置決め効果を向上する。
【００１６】
前記連結カバー（１７）はモータ（１４）を有する本体（１０）の一端に設けられ、内部に前記収容部（１６８）が収容され、又、連結カバー（１７）と収容部（１６８）の位置決め効果を向上するために、収容部（１６８）の外側に位置決めリブ（符号なし）が設けられると共に、連結カバー（１７）の内壁に位置決めリブを位置決めする位置決め溝（符号なし）が形成される。
【００１７】
前記ヘッド部（２０）は前記連結カバー（１７）と接触するように本体（１０）の一端に設けられ、本実施例において、該ヘッド部（２０）が螺合手段による連結カバー（１７）と結合し、又、ヘッド部（２０）の位置決め効果を向上するために、ヘッド部（２０）の外側に固定リング（１８）が螺合される。
【００１８】
前記取付部材（２１）は該ヘッド部（２０）に設けられ、その一端に前記回転部材（１６２）の駆動軸受け（１６４）に噛合する駆動軸（２２）が設けられ、又、該取付部材（２１）は従来の構造と等しいため、詳細な説明を省略する。本発明に係る電動式ラチェットドライバーは電池部材（１５）による取付部材（２１）を駆動することにより、パイプやワイヤなど部材の不要で、使用の利便性を大幅に向上することができる。
【００１９】
又、図３に示すように、本発明に係る電動式ラチェットドライバーの第２実施例は、前記第1実施例と殆ど等しく、異なるのは本実施例の半枠部（１１’）（１２’）の一端にヘッド部（２０）を固定するための位置決めプレート（１１２）（１２２）が設けられ、前記固定リング（１８）が該位置決めプレート（１１２）（１２２）の外側に設けられることにより、半枠部（１１’）（１２’）の結合効果も向上する。
【００２０】
又、図４に示すように、本発明に係る電動式ラチェットドライバーの第３実施例は、前記第1実施例と殆ど等しく、異なるのはその一つの半枠部（１２’’）の一端にヘッド部（２０）を位置決めるための位置決めリング（１２４）が設けられ、該半枠部（１２’’）の長さは他の半枠部（１１’’）より長い。
【００２１】
又、図５及び図６に示すように、本発明に係る電動式ラチェットドライバーの第４実施例は、本体（３０）と、モータ（３４）と、電池部材（３５）と、スイッチ（３９）と、ギア組（３６）と、連結カバー（３７）と、ヘッド部（４０）と、取付部材と、を備え、各部材の構造は前記第1実施例と殆ど等しく、ここで詳細な説明を省略し、異なるのは前記本体（３０）の内部に該ボタン（３９２）と対応する摺動自在のロック部材（５０）が設けられ、該ロック部材（５０）にロックプレート（５２）が設けられる。
【００２２】
前記ロック部材（５０）を移動すると共に、ロックプレート（５２）を前記ボタン（３９２）と対応する位置に位置することにより、ボタン（３９２）を押圧させても、スイッチ（１９）を起動することができない。
【図面の簡単な説明】
【００２３】
【図１】本発明に係る電動式ラチェットドライバーの第１実施例を示す分解斜視図である。
【図２】本発明に係る電動式ラチェットドライバーの第１実施例を示す断面図である。
【図３】本発明に係る電動式ラチェットドライバーの第２実施例を示す分解斜視図である。
【図４】本発明に係る電動式ラチェットドライバーの第３実施例を示す分解斜視図である。
【図５】本発明に係る電動式ラチェットドライバーの第４実施例を示す分解斜視図である。
【図６】本発明に係る電動式ラチェットドライバーの第４実施例を示す断面図である。
【符号の説明】
【００２４】
１０                  本体
１１、１１’、１１’’半枠部
１１２                位置決めプレート
１２、１２’、１２’’半枠部
１２２                位置決めプレート
１２４                位置決めリング
１３                  カバー
１３２                内固定部
１４                  モータ
１４２                連結部材
１４４                固定座
１４６                ワッシャー
１５                  電池部材
１６                  ギア組
１６２                回転部材
１６４                駆動軸受け
１６６                ギア
１６８                収容部
１７                  連結カバー
１８                  固定リング
１９                  スイッチ
１９２                ボタン
１９４                導電プレート
１９６                弾性部材
２０                  ヘッド部
２１                  取付部材
２２                  駆動軸
３０                  本体
３４                  モータ
３５                  電池部材
３６                  ギア組
３７                  連結カバー
３９                  スイッチ
３９２                ボタン
４０                  ヘッド部
５０                  ロック部材
５２                  ロックプレート
【図１】
2006102888.tif 000003
【図２】
2006102888.tif 000004
【図３】
2006102888.tif 000005
【図４】
2006102888.tif 000006
【図５】
2006102888.tif 000007
【図６】
2006102888.tif 000008